(57)【要約】【課題】  印刷すべきメールを選択することで、印刷コストを抑え利便性を高めることができるネットワークファクシミリ装置を提供する。【解決手段】  ＬＡＮ経由でメール形式のＦＡＸ画像の送受信をするネットワークファクシミリ装置において、送信者が同規格のネットワークファクシミリ装置であることが特定できるメールをＬＡＮ通信制御手段９で受信したことを検知し、受信ファイルをプロッタ３に印刷させる制御を司る主制御手段１を備えた。【選択図】  図１
2006186670.tif 000002
【特許請求の範囲】
【請求項１】
ＬＡＮ経由でメール形式のＦＡＸ画像の送受信をするネットワークファクシミリ装置において、送信者が同規格のネットワークファクシミリ装置であることが特定できるメールをＬＡＮ通信制御手段で受信したことを検知し、受信ファイルをプロッタに印刷させる制御を司る主制御手段を備えたことを特徴とするネットワークファクシミリ装置。
【請求項２】
ＬＡＮ経由でメール形式のＦＡＸ画像の送受信をするネットワークファクシミリ装置において、画像ファイルが添付されたメールをＬＡＮ通信制御手段で受信したことを検知し、受信ファイルをプロッタに印刷させる制御を司る主制御手段を備えたことを特徴とするネットワークファクシミリ装置。
【請求項３】
請求項１または請求項２のネットワークファクシミリ装置において、前記主制御手段は、印刷対象でないメールを受信した場合には、所定のメールアドレスへ転送する制御を司ることを特徴とするネットワークファクシミリ装置。
【発明の詳細な説明】
【技術分野】
【０００１】
本発明は、ＬＡＮ回線を介してメール形式で画像を送受信するネットワークファクシミリ装置に関する。
【背景技術】
【０００２】
ネットワークファクシミリ装置は、公衆網を利用する既存のＧ３/Ｇ４ファクシミリ装置と異なり、ＬＡＮ回線を利用することで通信費を削減することが可能である。一方、従来のファクシミリ装置と同じく、受信したメールは紙に印刷して出力することが基本機能であるため、そのためのコストは既存のファクシミリ装置と同様である。
なお、ネットワークファクシミリ装置に関連して、例えば、特許文献１、２に示した従来技術が知られている。
【特許文献１】特開２００２−１９０９０４公報
【特許文献２】特開２００２−２００８２７公報
【発明の開示】
【発明が解決しようとする課題】
【０００３】
ところでネットワークでは、スパムと呼ばれる迷惑メールが社会問題となっているが、ネットワークファクシミリ装置の場合、これらの迷惑メールを受信しても印刷出力してしまうため、不要な印刷コストが発生することになってしまう。
本発明は、印刷すべきメールを選択することで、印刷コストを抑え利便性を高めることができるネットワークファクシミリ装置を提供することを目的としている。
【課題を解決するための手段】
【０００４】
上記目的を達成するために、請求項１記載の発明は、ＬＡＮ経由でメール形式のＦＡＸ画像の送受信をするネットワークファクシミリ装置において、送信者が同規格のネットワークファクシミリ装置であることが特定できるメールをＬＡＮ通信制御手段で受信したことを検知し、受信ファイルをプロッタに印刷させる制御を司る主制御手段を備えたネットワークファクシミリ装置を最も主要な特徴とする。
請求項２記載の発明は、ＬＡＮ経由でメール形式のＦＡＸ画像の送受信をするネットワークファクシミリ装置において、画像ファイルが添付されたメールをＬＡＮ通信制御手段で受信したことを検知し、受信ファイルをプロッタに印刷させる制御を司る主制御手段を備えたネットワークファクシミリ装置を最も主要な特徴とする。
請求項３記載の発明は、請求項１または請求項２のネットワークファクシミリ装置において、前記主制御手段は、印刷対象でないメールを受信した場合には、所定のメールアドレスへ転送する制御を司るネットワークファクシミリ装置を主要な特徴とする。
【発明の効果】
【０００５】
本発明によれば、受信したメールのうち、ネットワークファクシミリ装置から送信されたと特定できたものだけを印刷処理するため、大量に送られてくる一般的なスパムメールなどは印刷されず、不要な印刷コストを抑えることが可能となる。
また、一般的にネットワークファクシミリ装置を運用する場合には、ネットワークファクシミリ装置がテキストパートのみのメールを受信することは例外的なのでスパムメールであろうと推測し、印刷を実行しないことで、印刷コストを抑え、機器の利便性を高めることが可能となる。
また、印刷対象でないと判断されたメールを、所定のアドレスへそのまま転送することにより、転送されたメールがスパムメールでなかった場合の処理や、スパムメール対策のための情報源として利用することが可能となるので、機器の利便性を高めることが可能となる。
【発明を実施するための最良の形態】
【０００６】
以下、図面を参照して、本発明の実施形態を詳細に説明する。
図１は本発明の実施の形態に係るネットワークファクシミリ装置の機能ブロック図である。本ネットワークファクシミリ装置は、機器の動作全体を制御する主制御部１、原稿を読み取るスキャナ２、受信原稿や各種レポートを出力するプロッタ３、ユーザがアクセスする操作部４、動作状態や各種情報を表示する表示部５、メモリ送信の画像や各種登録を保存しておく記憶部６、専用線または公衆網への接続とファクシミリ通信制御を行う通信制御部７、送信画像の圧縮や変倍などの画像加工の制御を行うＤＣＲ制御部８、ＬＡＮ等のネットワークへの接続と通信制御を行うＬＡＮ通信制御部９から構成される。
図２は本発明の実施の形態に係るネットワークファクシミリ装置における制御例を示すフローチャートである。
本ネットワークファクシミリ装置は、ＬＡＮ通信制御部９にてメールを受信すると（Ｓ１）、そのメールが印刷対象か否かを判定する（Ｓ２）。判定の結果印刷対象メールであると受信メールを印刷し（Ｓ３）、印刷対象メールでなければ受信メールを転送する（Ｓ４）。
【実施例１】
【０００７】
ここで、印刷対象のメールとは、送信者が同規格のネットワークファクシミリ装置であることが特定できるメールのことである。送信機がネットワークファクシミリ装置であることを特定する手段の一例として、Ｗ-ＮＥＴ ＦＡＸでは印刷対象としないテキストパートであることを示す以下のフィールドが付加されたパートが存在するか否かを基準にすることが可能である。
Content-X-CIAJWNETFAX: IGNORE
これは、ネットワークファクシミリ装置が、印刷対象としないテキスト情報を添付する時に利用するものであり、必須パートではないが、このフィールドが付加されているパートがあれば、送信機がＷ-ＮＥＴ ＦＡＸ（ネットワークファクシミリ装置）であると特定可能である。
以下にこのフィールドを付加したパートの例を添付する。
＜パート例＞
--DC_BOUND_PRE_<1094008004.0000746f07b3>   パート境界
Content-Type: text/plain; charset=ISO-2022-JP
Content-Transfer-Encoding: 7bit
Content-X-CIAJWNETFAX: IGNORE                        この一文があると、このパートは印字対象外となる。
このメールは『RNP6F07B3』（imagio Neo 352）から送信されたものです。
--DC_BOUND_PRE_<1094008004.0000746f07b3>   パート境界
【実施例２】
【０００８】
一方、実施例２では、ネットワークファクシミリ装置で受信し印刷するメールは、一般的には画像ファイルであり、テキストパートのみで構成されるメールを受信して印刷するような運用は限られることから、印刷対象メールとはしない。
上記実施例１、２での規定により、受信したメールが印刷対象メールであると判断された場合には、主制御部１はプロッタ３へ印刷処理の実行を指示し（Ｓ３）、印刷対象でないメールと判断された場合には、主制御部１は記憶部６から、所定のメールアドレスを読み出し、ＬＡＮ通信制御部９へ転送を指示する（Ｓ４）。
【図面の簡単な説明】
【０００９】
【図１】本発明の実施の形態に係るネットワークファクシミリ装置の機能ブロック図である。
【図２】本発明の実施の形態に係るネットワークファクシミリ装置における制御例を示すフローチャートである。
【符号の説明】
【００１０】
１  主制御部(主制御手段)
２  スキャナ
３  プロッタ
４  操作部
５  表示部
６  記憶部
７  通信制御部
８  ＤＣＲ制御部
９  ＬＡＮ通信制御部(ＬＡＮ通信制御手段)
【図１】
2006186670.tif 000003
【図２】
2006186670.tif 000004